(57)【要約】【課題】一般的な端末は、複数の通信方式を用いて周辺の端末と端末間通信を行うとき、無駄に接続手順を実行することを十分低減できていないという課題があった。【解決手段】端末は、自端末において有効化されている通信方式を示す所定の第１の通信方式情報を記憶する記憶部と、他の端末において有効化されている前記通信方式を示す入力された第２の通信方式情報と、前記第１の通信方式情報と、の両方に共通して有効化されている前記通信方式について、前記他の端末と接続する為の所定の接続手順を実施する接続部と、を備える。【選択図】      図８
2017011512.tif 000002
【特許請求の範囲】
【請求項１】
自端末において有効化されている通信方式を示す所定の第１の通信方式情報を記憶する記憶部と、
他の端末において有効化されている前記通信方式を示す入力された第２の通信方式情報と、前記第１の通信方式情報と、の両方に共通して有効化されている前記通信方式について、前記他の端末と接続する為の所定の接続手順を実施する接続部と、を備える、
ことを特徴とする端末。
【請求項２】
前記接続部は、自端末において有効化されている前記通信方式毎に順に前記接続手順を実施し、１の前記通信方式で前記他の端末と接続したときには、前記他の端末に記憶される前記第２の通信方式情報を取得し、取得した前記第２の通信方式情報と、前記第１の通信方式情報と、の両方に共通して有効化されている、前記接続手順を実施していない前記通信方式について前記接続手順を実施する、
ことを特徴とする請求項１に記載の端末。
【請求項３】
前記接続部は、前記他の端末と接続したときには、前記第２の通信方式情報を要求する要求信号を前記他の端末に送信し、前記送信に応じて前記他の端末から返信された前記第２の通信方式情報を受信する、
ことを特徴とする請求項２に記載の端末。
【請求項４】
前記接続部は、前記要求信号に前記第１の通信方式情報を含めて送信し、前記送信に応じて返信された前記第２の通信方式情報と、前記第１の通信方式情報と、の両方に共通する前記通信方式を自端末において有効化し、さらに、前記共通する通信方式が有効化されたことを示す前記第１の通信方式情報を前記記憶部に記憶する、
ことを特徴とする請求項３に記載の端末。
【請求項５】
前記第１の通信方式情報は、前記通信方式毎に、前記通信方式の能力を示す能力情報が関連づけられた情報であり、
前記接続部は、前記他の端末と接続した前記通信方式のうち、前記能力情報が示す能力の最も高い前記通信方式を用いて前記他の端末と通信する、
ことを特徴とする請求項１乃至４のいずれか１項に記載の端末。
【請求項６】
少なくとも２つの端末が通信を行うシステムであって、
１つの前記端末は、請求項１乃至５のいずれか１項に記載の端末であり、
もう１つの他の前記端末は、対応する複数の通信方式が有効化又は無効化される端末である、
ことを特徴とするシステム。
【請求項７】
前記他の端末は、前記第２の通信方式情報を記憶し、請求項３乃至５のいずれか１項の前記端末から前記要求信号を受信したときには、前記第２の通信方式情報を前記端末に返信する返信部を備え、
前記返信部は、受信した前記要求信号から前記第１の通信方式情報を抽出したときには、前記第１の通信方式情報と、前記第２の通信方式情報と、で共通する前記通信方式を前記他の端末において有効化し、さらに、前記共通する通信方式が有効化されたことを示す前記第２の通信方式情報を返信する、
ことを特徴とする請求項６に記載のシステム。
【請求項８】
自端末において有効化されている通信方式を示す所定の第１の通信方式情報を記憶手段から読み出す読出ステップと、
他の端末において有効化されている前記通信方式を示す入力された第２の通信方式情報と、読み出した前記第１の通信方式情報と、の両方に共通して有効化されている前記通信方式について、前記他の端末と接続する為の所定の接続手順を実施する接続ステップと、を有する、
ことを特徴とする通信方法。
【請求項９】
前記接続ステップにおいては、自端末において有効化されている前記通信方式毎に順に前記接続手順を実施し、１の前記通信方式で前記他の端末と接続したときには、前記他の端末に記憶される前記第２の通信方式情報を取得し、取得した前記第２の通信方式情報と、前記第１の通信方式情報と、の両方に共通して有効化されている、前記接続手順を実施していない前記通信方式について前記接続手順を実施する、
ことを特徴とする請求項８に記載の通信方法。
【請求項１０】
前記第２の通信方式情報を要求する要求信号を受信したときには、前記他の端末に記憶される前記第２の通信方式情報を前記自端末に返信する返信ステップを有し、
前記接続ステップにおいては、前記他の端末と接続したときに前記要求信号を送信し、前記送信に応じて返信される前記第２の通信方式情報を受信する、
ことを特徴とする請求項９に記載の通信方法。
【発明の詳細な説明】
【技術分野】
【０００１】
本発明は、端末、システム、通信方法に関し、特に、端末間通信を行う端末、システム、通信方法に関する。
【背景技術】
【０００２】
一般的に、周辺の端末と端末間通信を行う端末が知られている。端末間通信を行う端末は、いくつかの通信方式に対応しており、通信方式毎に所定の接続手順を実行し、周辺の端末との間でコネクションを確立することを試みる。端末間通信を行う端末は、コネクションが確立すると、コネクションが確立した通信方式にて周辺端末と端末間通信を行う。所定の接続手順は、通信方式毎に標準規格等に規定されており、周辺端末の探索や、該探索により検出された周辺端末への接続要求等の手順を含む。
【０００３】
また、上述の端末間通信を行う端末は、ユーザによって、各通信方式がＯＮ／ＯＦＦ（有効化／無効化）されることも知られている。ユーザは、一般的に、各通信方式のＯＮ／ＯＦＦ（有効化／無効化）を端末画面から端末に設定する。端末間通信を行う端末は、ＯＮ（有効化）されている通信方式について接続手順を行い、コネクションが確立すれば、当該通信方式で端末間通信を行う。
【０００４】
なお、端末間通信を行う端末ではないが、関連する技術が、以下の特許文献１に開示されている。
【０００５】
特許文献１の端末は、基地局と通信を行う端末であり、第１の無線通信方式と第２の無線通信方式に対応する。第１の無線通信方式は、カバーエリアは狭いがスループットの高い無線通信方式であり、第２の無線通信方式は、スループットは低いがカバーエリアの広い無線通信方式である。特許文献１の端末は、接続するサーバから受信した優先度情報に基づいて、基地局と通信を行う無線通信方式を決定する。例えば、特許文献１の端末は、受信した優先度情報に「（自身が）移動なし」を示す情報が含まれる場合には、上述の第１の無線通信方式を、通信を行う通信方式と決定する。特許文献１の端末は、受信した優先度情報に「（自身が）移動あり」を示す情報が含まれる場合には、上述の第２の無線通信方式を、通信を行う通信方式と決定する。特許文献１の端末は、決定した通信方式を用いて基地局と通信を行う。
【０００６】
上述の構成や動作の通り、特許文献１の端末は、ユーザの動作（自身の移動状況）に見合った無線通信方式で基地局と通信を行うことができる。
【先行技術文献】
【特許文献】
【０００７】
【特許文献１】特開２０１４−１２７８９０号公報
【発明の概要】
【発明が解決しようとする課題】
【０００８】
しかし、特許文献１の端末を含め、一般的な端末（以下、「特許文献１等の端末」という）は、複数の通信方式を用いて周辺の端末と端末間通信を行うとき、無駄に接続手順を実行することを十分低減できていないという課題があった。
【０００９】
なぜなら、特許文献１等の端末は、ＯＮされている通信方式について接続手順を行うが、その際、周辺の端末においても該通信方式がＯＮされているか把握することなく、接続手順を行うからである。例え、周辺の端末においてＯＦＦ（無効化）されている通信方式であっても、特許文献１等の端末は、該通信方式について接続手順を実行してしまう。特許文献１等の端末は、コネクションが確立しない接続手順を無駄に実行してしまっていた。その為、特許文献１等の端末は、無駄に接続手順を実行することを十分低減できていなかった。
【００１０】
本発明は、上記課題を解決する端末、システム、通信方法を提供することを目的とする。
【課題を解決するための手段】
【００１１】
上記目的を達成するために、本発明の端末は、自端末において有効化されている通信方式を示す所定の第１の通信方式情報を記憶する記憶部と、他の端末において有効化されている前記通信方式を示す入力された第２の通信方式情報と、前記第１の通信方式情報と、の両方に共通して有効化されている前記通信方式について、前記他の端末と接続する為の所定の接続手順を実施する接続部と、を備える。
【００１２】
上記目的を達成するために、本発明のシステムは、少なくとも２つの端末が通信を行うシステムであって、１つの前記端末は、自端末において有効化されている通信方式を示す所定の第１の通信方式情報を記憶する記憶部と、他の端末において有効化されている前記通信方式を示す入力された第２の通信方式情報と、前記第１の通信方式情報と、の両方に共通して有効化されている前記通信方式について、前記他の端末と接続する為の所定の接続手順を実施する接続部と、を備える端末であり、もう１つの他の前記端末は、対応する複数の通信方式が有効化又は無効化される端末である。
【００１３】
上記目的を達成するために、本発明の通信方法は、自端末において有効化されている通信方式を示す所定の第１の通信方式情報を記憶手段から読み出す読出ステップと、他の端末において有効化されている前記通信方式を示す入力された第２の通信方式情報と、読み出した前記第１の通信方式情報と、の両方に共通して有効化されている前記通信方式について、前記他の端末と接続する為の所定の接続手順を実施する接続ステップと、を有する。
【発明の効果】
【００１４】
本発明によれば、端末は、複数の通信方式を用いて周辺の端末と端末間通信をするとき、無駄に接続手順を実行することを十分低減できる。
【図面の簡単な説明】
【００１５】
【図１】本発明の第１の実施の形態における端末の動作概要を説明する為の図である。
【図２】本発明の第１の実施の形態における端末を含むシステムの構成例と、端末に記憶されるテーブルの一例と、を示した図である。
【図３】本発明の第１の実施の形態における端末の動作を説明する為の図である。
【図４】本発明の第２の実施の形態における端末を含むシステムの構成例と、端末に記憶されるテーブルの一例と、を示した図である。
【図５】本発明の第２の実施の形態における端末の動作を説明する為の図である。
【図６】本発明の第２の実施形態における端末に記憶される通信方式一覧テーブルの他の一例を示す図である。
【図７】本発明の第２の実施形態における端末の動作（優先項目が設定されたときの動作）を説明する為の図である。
【図８】本発明の第３の実施の形態における端末の構成例を示す図である。
【発明を実施するための形態】
【００１６】
次に本発明の実施形態について、図面を参照して詳細に説明する。図１は、本発明の第１の実施の形態における端末の動作概要を説明する為の図である。
【００１７】
≪第１の実施の形態≫
[概要]
本実施形態における端末１、２は、図１に示されるように、互いに端末間通信を行う端末である。端末２は端末１の周辺にある端末である。端末１、２は、それぞれ、自身において有効化（以下、「ＯＮ」という）されている通信方式を示すテーブルを備える。
【００１８】
端末１は、ＯＮされている通信方式毎に順に接続手順を行っていき、１つの通信方式Ａで端末２とコネクションを確立したときは、端末２とテーブルを交換する。交換により、端末２からテーブルを取得した後は、端末１は、接続手順を行っていない残りの通信方式Ｂ〜Ｄのうち、取得したテーブルに示される、端末２でもＯＮされている通信方式Ｂについて接続手順を行い、ＯＮされていない通信方式Ｃ、Ｄについてはコネクションが確立しないので接続手順を行わない。その結果、端末１は、コネクションが確立する通信方式に絞って接続手順を行うことになり、無駄に接続手順を実行することを十分低減できる。
【００１９】
以下に、本実施形態における端末１、２を含むシステムの構成や各端末の機能及び動作について説明する。
【００２０】
［構成の説明］
まず、本実施形態における端末１、２を含むシステムの構成と、各端末の機能について説明する。図２は、本発明の第１の実施の形態における端末１、２を含むシステムの構成例と、それら端末に記憶されるテーブルの一例と、を示した図である。
【００２１】
（１）本発明の第１の実施の形態における端末を含むシステムの構成例
本実施形態の端末１、２を含むシステムは、図２に示されるように、端末１、２が各々、無線回線を介して端末間通信を行うシステムである。端末２は、端末１周辺の端末である。
【００２２】
本実施形態の端末１、２は、図示していないが、メモリ１０、２０を備える。
【００２３】
以下、本実施形態の端末１、２の機能について説明する。端末１、２は、同じ機能を有するので、代表して端末１について説明する。
【００２４】
（２）端末１の機能
（２−１）テーブル記憶機能
端末１は、いくつかの通信方式に対応する。端末１は、ＷｉＦｉ（登録商標）通信方式やＢｌｕｅｔｏｏｔｈ（登録商標）通信方式に対応してもよい。
【００２５】
端末１のメモリ１０には、端末１が対応する各通信方式が、有効化（以下、「ＯＮ」という）されているか、又は、無効化（以下、「ＯＦＦ」という）されているかを示す通信方式一覧テーブルが設定される。通信方式一覧テーブルは、通信方式を示す通信方式情報と、当該通信方式がＯＦＦ又はＯＮされているかを示すＯＮ／ＯＦＦ情報と、が関連づけられたテーブルである。図２では、端末１においては通信方式Ａ〜ＤがＯＮされており、端末２においては通信方式Ａ、Ｂ、ＥがＯＮされていることを示す通信方式一覧テーブルが示されている。通信方式一覧テーブルは、端末１のユーザによってメモリ１０に設定される。
【００２６】
端末１（メモリ１０）に記憶される通信方式一覧テーブルは、説明の為、以下、「通信方式一覧テーブル１００」といい、端末２（メモリ２０）に記憶される通信方式一覧テーブルは「通信方式一覧テーブル２００」というものとする。
【００２７】
（２−２）接続機能
端末１は、起動後、ＯＮされている通信方式毎に所定の接続手順を順次実行し、周辺端末２との間でコネクションの確立を試みる。
【００２８】
上述の所定の接続手順は、通信方式毎に標準規格等に規定されており、例えば、周辺端末の探索や該探索により検出された周辺端末への接続要求等の手順を含む。一例だが、ＷｉＦｉ（登録商標）通信方式に係る接続手順は、ＩＥＥＥ８０２．１１に規定されており、周辺端末の探索、さらに、探索により検出された端末に接続要求信号を送信する手順を含んでいる。ＩＥＥＥは、Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓの略称である。
【００２９】
（２−３）テーブル交換機能
端末１は、上述の接続機能により、ある通信方式で、初めて端末２との間でコネクションが確立したときには、端末２と通信方式一覧テーブルを交換する。
【００３０】
テーブルの交換は以下の（２−３−１）に示す通りに実現することができる。なお、以下の（２−３−１）では、信号のやり取りが分かるように端末２の機能についても併せて説明しているが、その機能は端末１にも備わる。
【００３１】
（２−３−１）テーブル交換を実現する為の機能
まず、端末１は、初めて端末２との間でコネクションが確立したときには、テーブルを要求する信号を無線信号として端末２に送信する。テーブルを要求する信号には、通信方式一覧テーブル１００が含まれる。
【００３２】
端末２は、端末１から受信した無線信号から、テーブルを要求する信号を抽出すると、抽出した信号に含まれる通信方式一覧テーブル１００を保持する。また、端末２は、メモリ２０に記憶される通信方式一覧テーブル２００を無線信号として端末１に送信する。
【００３３】
端末１は、端末２から受信した無線信号から通信方式一覧テーブル２００を抽出すると、抽出した通信方式一覧テーブル２００を保持する。保持の為に、端末１、２は、通信方式一覧テーブル１００、２００を、自身に備わるメモリに一時的に書き込んでもよい。
【００３４】
（２−４）端末２でもＯＮされている通信方式にて接続する機能
端末１は、端末２の通信方式一覧テーブル２００を保持すると、メモリ１０から通信方式一覧テーブル１００を取得する。端末１は、取得した通信方式一覧テーブル１００と、保持する端末２の通信方式一覧テーブル２００と、で共通してＯＮされている通信方式（但し、接続手順を実施していない通信方式）について接続手順を実行する。これにより、端末１は、端末２でもＯＮされている通信方式について接続手順を実行することができる。
【００３５】
端末１は、コネクションが確立した各通信方式を用いて端末２と端末間通信をする。
【００３６】
（２−５）ＯＮ／ＯＦＦ機能
端末１、２においては、各通信方式がＯＮ／ＯＦＦ（有効化／無効化）されるが、その為の機能として、以下の機能を端末１、２は備えてもよい。
【００３７】
まず、端末１は、対応する通信方式毎に、該通信方式で通信を行う無線回路を備える。端末１は、通信方式一覧テーブルにおいて、ＯＮされている通信方式については、該通信方式で通信を行う無線回路に電力を供給し、ＯＦＦされている通信方式については、該通信方式で通信を行う無線回路への電力の供給を停止する。
【００３８】
（２−６）機能実現の為に用いられる回路等
上述のメモリ１０、２０は、ＲＡＭ（Ｒａｎｄｏｍ  Ａｃｃｅｓｓ  Ｍｅｍｏｒｙ）等のメモリであってもよい。また、端末１は、各通信方式で通信を行う無線回路と、ＲＡＭ等のメモリと、制御回路と、を用いて実現できる。上述の制御回路は、ＣＰＵ（Ｃｅｎｔｒａｌ  Ｐｒｏｃｅｓｓｉｎｇ  Ｕｎｉｔ）と、ＣＰＵ上で動作するアプリケーションと、電子回路と、で実現されてもよい。また、上述の無線回路は、アンテナと、高周波回路と、高周波信号をベースバンド信号にするミキサと、ＤＳＰ（Ｄｉｇｉｔａｌ  Ｓｉｇｎａｌ  Ｐｒｏｃｅｓｓｏｒ）と、ＦＰＧＡと、を用いて実現することができる。ＦＰＧＡは、Ｆｉｅｌｄ−Ｐｒｏｇｒａｍｍａｂｌｅ  Ｇａｔｅ  Ａｒｒａｙの略称である。
【００３９】
［動作の説明］
図３は、本発明の第１の実施の形態における端末１、２の動作を説明する為の図である。図３を用いて、本実施形態の端末１、２の詳細な動作を以下に説明する。なお、端末１のメモリ１０には、図２に示される通信方式一覧テーブル１００が記憶され、端末２のメモリ２０には、通信方式一覧テーブル２００が記憶されているものとする。また、端末２はすでに起動しているものとする。
【００４０】
（１）動作の説明
まず、端末１は、図示していないが、起動後、ＯＮされている通信方式Ａ〜Ｄ毎に接続手順を順に実行し、周辺の端末２との間でコネクションの確立を試みる。
【００４１】
端末１が通信方式Ａ〜Ｄ毎に接続手順を行っていく中で、ある１つの通信方式で端末２との間でコネクションの確立が確立したとする。ここでは、図３に示されるように、通信方式Ａで端末２との間のコネクションが確立し（Ｓ１）、端末１は、端末２と通信が可能となったとする。
【００４２】
端末１は、通信方式Ａでコネクションが確立すると、テーブルを要求する信号を、通信方式Ａの無線信号で端末２に送信する（Ｓ２）。このとき、端末１は、テーブルを要求する信号に通信方式一覧テーブル１００を含めて送信する。通信方式一覧テーブルを交換する為である。
【００４３】
次に、端末２は、端末１から無線信号を受信し、受信した無線信号から、テーブルを要求する信号を抽出すると、自身に備わるメモリ２０に記憶される通信方式一覧テーブル２００を無線信号として端末１に送信する（Ｓ３）。端末２は、Ｓ３の後、テーブルを要求する信号に含まれる通信方式一覧テーブル１００を抽出して記憶してもよい。
【００４４】
次に、端末１は、端末２から受信した無線信号より通信方式一覧テーブル２００を抽出すると、抽出した通信方式一覧テーブル２００を保持する（Ｓ４）。保持するとは、端末１に備わるメモリに一時的に書き込むことである。
【００４５】
上述のＳ１〜Ｓ４の処理により、端末１は、端末２と通信方式一覧テーブルを交換し、通信方式一覧テーブル２００、すなわち端末２においてＯＮされている通信方式を示す情報を保持することができる。
【００４６】
次に、端末１は、メモリ１０に記憶する通信方式一覧テーブル１００と、Ｓ４で保持した通信方式一覧テーブル２００と、で共通してＯＮされている通信方式（但し、接続手順を行っていない通信方式）各々について接続手順を実施する（Ｓ５）。
【００４７】
具体的には、端末１は、通信方式一覧テーブル１００、２００の両方において共通する通信方式情報であり、ＯＮを示すＯＮ／ＯＦＦ情報が関連づけられている通信方式情報（接続手順を行った通信方式Ａを示す通信方式情報以外の通信方式情報）を抽出する。図２に示される通信方式一覧テーブル１００、２００では、該当する通信方式情報は、通信方式Ｂを示す通信方式情報である。端末１は、通信方式Ｂを示す通信方式情報を抽出する。端末１は、抽出した通信方式情報が示す通信方式Ｂについて接続手順を行う。
【００４８】
通信方式Ｂは、端末２においてもＯＮされている通信方式である。その為、端末１は、通信方式Ｂでもコネクションを確立することができる。上述の通信方式Ｂは、ＷｉＦｉ通信方式であってもよい。その場合、接続手順は、ＩＥＥＥ８０２．１１に規定される手順である。
【００４９】
なお、Ｓ５において、通信方式Ｂを示す通信方式情報だけでなく、他にもいくつか通信方式情報を抽出した場合には、端末１は、抽出した通信方式情報毎に接続手順を各々実施する。
【００５０】
次に、端末１は、コネクションを確立した複数の通信方式Ａ、Ｂを用いて端末２と端末間通信を行う（Ｓ６）。
【００５１】
上述のＳ１〜Ｓ６の処理の通り、端末１は、複数の通信方式Ａ、Ｂで端末間通信を行うことができる。
【００５２】
（２）通信方式や端末数について
なお、上述の通信方式Ａ〜Ｄ、Ｅは、ＷｉＦｉ通信方式以外の通信方式、すなわち、Ｂｌｕｅｔｏｏｔｈ（登録商標）通信方式やＺｉｇｂｅｅ（登録商標）通信方式、ＬＴＥ（Ｌｏｎｇ  Ｔｅｒｍ  Ｅｖｏｌｕｔｉｏｎ）  Ｄｉｒｅｃｔ等であってもよい。端末１、２が対応する通信方式Ａ〜Ｄ、Ｅは、端末間通信を行う通信方式であればどのような通信方式でもよい。
【００５３】
また、本実施形態の端末１は、端末間通信を行う接続する端末としては、端末２の１台に限らない。本実施形態の端末１は、端末２以外の端末と同様に端末間通信を接続してもよい。
【００５４】
［効果の説明］
本実施形態によれば、端末１は、複数の通信方式を用いて周辺の端末２と端末間通信をするとき、無駄に接続手順を実行することを十分低減できる。
【００５５】
その理由を以下に説明する。
【００５６】
まず、本実施形態の端末１は、端末１、２の両方においてＯＮされている通信方式について接続手順を行い、端末１、２の両方においてＯＮされていない通信方式（例えば、通信方式Ｃ、Ｄ）についてはコネクションが確立しないので接続手順を実施しない。その結果、本実施形態の端末１は、コネクションが確立する通信方式に絞って接続手順を行うことになるので、無駄に接続手順を実行することを十分低減することができる。
【００５７】
≪第２の実施の形態≫
次に、本発明の第２の実施の形態について説明する。
【００５８】
第２の実施形態の各端末３、４は、通信方式一覧テーブルを交換した後、端末３、４の両方共が対応する通信方式については（ＯＦＦされていたとしても）全てＯＮ（有効化）する端末である。第２の実施形態の各端末３、４は、当初ＯＦＦにされていた通信方式をＯＮとするので、第１の実施形態の端末よりも多くの通信方式で端末間通信を行うことができる。なお、本実施形態の各端末３、４は、無駄に接続手順を行わないよう、端末３、４のいずれか又は両方が対応しない通信方式については全てＯＦＦ（無効化）する。
【００５９】
以下に、第２の実施の形態の端末３、４を含むシステムの構成と動作について説明する。図４は、本発明の第２の実施の形態における端末３、４を含むシステムの構成例と、それら端末に記憶されるテーブルの一例と、を示した図である。
【００６０】
［構成の説明］
（１）第２の実施形態の端末を含むシステムの構成
第２の実施形態の端末３、４を含むシステムは、図４に示されるように、端末３、４が各々、無線回線を介して端末間通信を行うシステムである。端末４は、端末３周辺の端末である。端末３、４は、図示していないが、各々、メモリ１０、２０の代わりに、メモリ３０、４０を備える。
【００６１】
メモリ３０には、図４に示される通信方式一覧テーブル３００が、メモリ４０には、図４に示される通信方式一覧テーブル４００が記憶される。
【００６２】
（２）端末３、４の機能
端末３、４は同じ機能を備えるので、代表して端末３について説明する。
【００６３】
端末３は、受信した無線信号から通信方式一覧テーブル４００を抽出すると、抽出した通信方式一覧テーブル４００と、メモリに記憶される通信方式一覧テーブル３００と、で共通する通信方式情報（以下、「共通通信方式情報」という）を抽出する。端末３は、通信方式一覧テーブル３００における、抽出した共通通信方式情報に関連づけられるＯＮ／ＯＦＦ情報を全てＯＮ（を示す情報）に書き換える。また、端末３は、通信方式一覧テーブル３００における、抽出した共通通信方式情報以外の通信方式情報に関連づけられるＯＮ／ＯＦＦ情報を全てＯＦＦ（を示す情報）に書き換える。
【００６４】
上述した以外の構成や機能は、第１の実施の形態における端末１、２と同じであるので、同一の符号を付して説明を省略する。
【００６５】
[動作の説明]
次に、本実施形態の端末３、４の動作を説明する。図５は、本発明の第２の実施の形態における端末３、４の動作を説明する為の図である。
【００６６】
（１）第２の実施形態の端末３、４の動作
まず、端末４は、Ｓ３において、受信した無線信号（テーブルを要求する信号）から通信方式一覧テーブル３００を抽出すると、以下のＳ１０、Ｓ１１の処理を行う。
【００６７】
すなわち、端末４は、図５に示されるように、抽出した通信方式一覧テーブル３００と、メモリに記憶される通信方式一覧テーブル４００と、で共通する通信方式情報（すなわち、共通通信方式情報）を抽出する（Ｓ１０）。
【００６８】
次に、端末４は、通信方式一覧テーブル４００における、抽出した共通通信方式情報に関連づけられるＯＮ／ＯＦＦ情報を全てＯＮ（を示す情報）に書き換える（Ｓ１１）。
【００６９】
さらに、端末４は、通信方式一覧テーブル４００における、抽出した共通通信方式情報以外の通信方式情報に関連づけられるＯＮ／ＯＦＦ情報を全てＯＦＦ（を示す情報）に書き換える（Ｓ１２）。
【００７０】
次に、端末４は、（書き換えた）通信方式一覧テーブル４００のＯＮ／ＯＦＦ情報の通りに、自身が対応する各通信方式をＯＮ(有効化)又はＯＦＦ（無効化）する（Ｓ１３）。
【００７１】
具体的には、端末４は、通信方式一覧テーブル４００において、ＯＮを示す情報が関連づけられている通信方式情報が示す通信方式についてはＯＮし、ＯＦＦを示す情報が関連づけられている通信方式情報が示す通信方式についてはＯＦＦする。端末４は、各通信方式のＯＮ／ＯＦＦを、上述の「（２−５）ＯＮ／ＯＦＦ機能」で説明した通りに、各通信方式に係る無線回路への電力を供給したり、停止することで実現してもよい。
【００７２】
上述のＳ１０〜Ｓ１３により、端末４は、メモリ４０に記憶される通信方式一覧テーブル４００を、図４に示される通信方式一覧テーブル４０１に書き換え、さらに、端末３、４の両方で対応する通信方式Ａ、Ｂ、ＣをＯＮ（有効化）する。通信方式Ｂ、ＣがＯＦＦからＯＮされることとなる。
【００７３】
次に、端末４は、図５に示されるように、自身に備わるメモリ４０に記憶する通信方式一覧テーブル４０１を無線信号として端末３に送信する（Ｓ１４）。
【００７４】
次に、端末３は、上述のＳ３を実施し、端末４から受信した無線信号から通信方式一覧テーブル４０１を抽出する（Ｓ４）。
【００７５】
次に、端末３は、Ｓ１０〜Ｓ１４と同様の処理であるＳ１５〜Ｓ１８を行う。
【００７６】
すなわち、端末３は、Ｓ４で抽出した通信方式一覧テーブル４０１と、メモリに記憶される通信方式一覧テーブル３００と、で共通する通信方式情報（すなわち、共通通信方式情報）を抽出する（Ｓ１５）。
【００７７】
次に、端末３は、通信方式一覧テーブル３００における、抽出した共通通信方式情報に関連づけられるＯＮ／ＯＦＦ情報を全てＯＮ（を示す情報）に書き換える（Ｓ１６）。
【００７８】
次に、端末３は、通信方式一覧テーブル３００における、抽出した共通通信方式情報以外の通信方式情報に関連づけられるＯＮ／ＯＦＦ情報を全てＯＦＦ（を示す情報）に書き換える（Ｓ１７）。
【００７９】
次に、端末３は、（書き換えた）通信方式一覧テーブル３００のＯＮ／ＯＦＦ情報の通りに、自身が対応する各通信方式をＯＮ(有効化)又はＯＦＦ（無効化）する（Ｓ１８）。
【００８０】
具体的には、端末３は、（書き換えた）通信方式一覧テーブル３００において、ＯＮを示す情報が関連づけられている通信方式情報が示す通信方式についてはＯＮし、ＯＦＦを示す情報が関連づけられている通信方式情報が示す通信方式についてはＯＦＦする。
【００８１】
上述のＳ１５〜Ｓ１８により、端末３は、メモリ３０に記憶される通信方式一覧テーブル３００を、図４に示される通信方式一覧テーブル３０１に書き換え、端末３、４の両方で対応する通信方式Ａ、Ｂ、ＣをＯＮ（有効化）する。通信方式ＣがＯＦＦからＯＮされることとなる。
【００８２】
その後、端末３は、Ｓ５を実施し、端末３、４で共通して対応する通信方式Ｂ、Ｃ各々について所定の接続手順を行う（Ｓ５）。
【００８３】
端末３は、端末４と共通してＯＮされる通信方式Ｂ、Ｃについてコネクションを確立させることとなる。
【００８４】
次に、端末３は、コネクションを確立した通信方式Ａ、Ｂ、Ｃを用いて端末４と通信を行う（Ｓ１９）。
【００８５】
上述のＳ１０〜Ｓ１９により、端末３、４は、当初ＯＦＦにされていた通信方式Ｂ、ＣをＯＮにし、第１の実施形態の端末１、２よりも多い通信方式Ａ、Ｂ、Ｃで端末間通信を行う。端末３、４は、端末１、２より多くの通信方式を用いるので、より多くのデータを送受信することができる。
【００８６】
その他の動作については、第１の実施の形態の動作と同様である為、詳細の説明を省略する。
【００８７】
（２）データを送信する通信方式の選択
図６は、第２の実施形態における端末３に記憶される通信方式一覧テーブルの他の一例を示す図である。
【００８８】
端末３は、動作の１バリエーションとして、コネクションを確立させた複数の通信方式のうち、最も能力の高い通信方式（例えば、通信速度の最も速い通信方式）を選択して通信を行ってもよい。その為に、端末３は、図６に示されるように、通信方式情報毎に、該通信方式の能力を示す情報が関連づけられた通信方式一覧テーブルを備えてもよい。能力を示す情報（以下、「能力情報」という）は、通信速度、消費電力、及びパケット損失率等である。その場合、端末３には、通信方式の能力情報のどれを優先して選択するかを示す優先項目もユーザにより設定される。
【００８９】
図７は、第２の実施形態における端末３の動作（優先項目が設定されたときの動作）を説明する為の図である。
【００９０】
端末３は、優先項目が設定されたとき、図７に示されるように、上述のＳ５の後、コネクションを確立させた複数の通信方式のうち、最も能力の高い通信方式を通信方式一覧テーブルから選択する（Ｓ２０）。
【００９１】
Ｓ２０の１つの例としては、端末３は、優先度項目が通信速度を示すときには、コネクションを確立させた複数の通信方式のうち、最も通信速度の速い通信方式を通信方式一覧テーブルから選択する。
【００９２】
Ｓ２０のもう１つの例としては、端末３は、優先度項目が消費電力又はパケット損失率であるときには、コネクションを確立させた複数の通信方式のうち、最も消費電力又はパケット損失率の小さい通信方式を通信方式一覧テーブルから選択する。
【００９３】
Ｓ２０の他の例としては、端末３は、優先度項目が通信速度と消費電力であるときには、コネクションを確立させた複数の通信方式のうち、最も通信速度が速く、且つ、消費電力の最も小さい通信方式を通信方式一覧テーブルから選択する。なお、端末３は、最も通信速度が速く、且つ、消費電力の最も小さい通信方式がないときには、最も通信速度が速い、又は、消費電力の最も小さい通信方式のいずれかを任意に選択してもよい。このとき、端末３は、最も通信速度が速い通信方式を優先して選択することもできる。
【００９４】
端末３は、選択した通信方式を用いて端末４と端末間通信を行い、データを送信する（Ｓ２１）。
【００９５】
上述のＳ２０、Ｓ２１の通りに、端末３は、１バリエーションとして、１つの通信方式を選択して通信を行ってもよい。
【００９６】
［効果の説明］
本実施形態によれば、端末３、４は、第１の実施形態の端末１、２と同様、互いにＯＮされている通信方式について接続手順を行い、そうでない通信方式については接続手順を行わない。その結果、端末３、４は、第１の実施形態の端末１、２と同様、コネクションが確立する通信方式に絞って接続手順を行うこととなり、無駄に接続手順を実行することを十分低減できる。
【００９７】
さらに、本実施形態の端末３、４は、端末３、４で共通して対応する通信方式については、当初ＯＦＦにされていたとしてもＯＮにするので、第１の実施形態の端末１、２よりも多くの通信方式で端末間通信を行うことができる。
【００９８】
なお、本実施形態の端末３、４は、ＯＮした通信方式分だけ端末１、２よりも多くの接続手順を行うこととなるが、それはコネクションが確立する接続手順であり、無駄な接続手順ではない。本実施形態の端末３、４は、第１の実施形態の端末１、２と同様、コネクションが確立する通信方式に絞って接続手順を行い、無駄に接続手順を実行することを十分低減できる。
【００９９】
さらに、本実施形態の端末３、４は、端末１、２よりも多くの通信方式で端末間通信を行うことができるので、通信帯域を増やせ、より多くのデータを送信できる。さらに、端末３、４は、より多くの通信方式で通信を行うので、通信経路の耐障害性を高めることができる。
【０１００】
≪第３の実施の形態≫
図８は、本発明の第３の実施の形態における端末を含むシステムの構成例を示す図である。以下に、第３の実施の形態の端末を含むシステムの構成と動作について説明する。
【０１０１】
［構成の説明］
（１）第３の実施形態の端末を含むシステムの構成
第３の実施形態の端末５を含むシステムは、図８に示されるように、（少なくとも）２つの端末５、６が通信を行うシステムである。端末６は、端末５周辺の端末である。
【０１０２】
端末５、６は、いくつかの通信方式に対応する。各通信方式は、それぞれユーザ等により、有効化又は無効化される。複数の通信方式は、例えば、ＷｉＦｉ通信方式やＢｌｕｅｔｏｏｔｈ通信方式等であってもよい。
【０１０３】
上述の端末５は、記憶部５１と接続部５２を備える。接続部５２は端末６と無線回線を介して接続される。
【０１０４】
（３）端末５、６の各部位の機能
端末５の記憶部５１は、自端末５において有効化されている通信方式を示す第１の通信方式情報５５を記憶する。また、端末５には、他の端末６において有効化されている通信方式を示す第２の通信方式情報６５が入力される。第１の通信方式情報５５は、端末５のユーザによって記憶部５１に設定されてもよい。また、上述の通信方式情報６５も、端末５のユーザにより端末５に入力されてもよい。
【０１０５】
端末５の接続部５２は、入力された第２の通信方式情報６５と、記憶部５１に記憶する第１の通信方式情報５５と、の両方に共通して有効化されている通信方式について、（他の）端末６と接続する為の所定の接続手順を実施する。
【０１０６】
[動作の説明]
次に、本実施形態の端末５、６の動作を説明する。
【０１０７】
以下、端末５においては通信方式Ａ、Ｂ、Ｃが有効化（以下、「ＯＮ」という）されており、端末５の記憶部５１が、（ＯＮされている）通信方式Ａ、Ｂ、Ｃを示す第１の通信方式情報５５を記憶しているものとする。また、端末６においては通信方式Ａ、ＣがＯＮされているものとする。
【０１０８】
そして、端末５のユーザが、端末６においてＯＮされている通信方式Ａ、Ｃを示す第２の通信方式情報６５を端末５の接続部５２に入力したとする。
【０１０９】
端末５の接続部５２は、通信方式情報６５が入力されると、入力された第２の通信方式情報６５と、記憶部５１に記憶する第１の通信方式情報５５と、の両方に共通して有効化されている通信方式Ａ、Ｃについて接続手順を実施する。
【０１１０】
上述の通信方式Ａ、Ｃは、端末５、６の両方においてＯＮされている通信方式である。端末５の接続部５２は、上述の接続手順の結果、通信方式Ａ、Ｃについてコネクションを確立させ、複数の通信方式Ａ、Ｃで端末６と通信を行うことができる。接続部５２は、端末６においてＯＦＦされている通信方式Ｂについては接続手順を行わない。
【０１１１】
［効果の説明］
本実施形態によれば、端末５は、複数の通信方式を用いて周辺端末６と端末間通信をするとき、無駄に接続手順を実行することを十分低減できる。
【０１１２】
その理由を以下に説明する。
【０１１３】
まず、本実施形態の端末５は、端末５、６の両方においてＯＮされている通信方式について接続手順を行い、端末５、６の両方においてＯＮされていない通信方式（例えば通信方式Ｂ）についてはコネクションが確立しないので接続手順を実施しない。その結果、本実施形態の端末は、コネクションが確立する通信方式に絞って接続手順を行うことになるので、無駄に接続手順を実行することを十分低減することができる。
【０１１４】
なお、上述した実施の形態は、その形態に限定されるものではなく、実施段階ではその要旨を逸脱しない範囲で種々変更可能である。
【０１１５】
さらに、上記の各実施形態の一部又は全部は、以下の付記のようにも記載されうるが、以下には限られない。
（付記１）
自端末において有効化されている通信方式を示す所定の第１の通信方式情報を記憶する記憶部と、
他の端末において有効化されている前記通信方式を示す入力された第２の通信方式情報と、前記第１の通信方式情報と、の両方に共通して有効化されている前記通信方式について、前記他の端末と接続する為の所定の接続手順を実施する接続部と、を備える、
ことを特徴とする端末。
（付記２）
前記接続部は、自端末において有効化されている前記通信方式毎に順に前記接続手順を実施し、１の前記通信方式で前記他の端末と接続したときには、前記他の端末に記憶される前記第２の通信方式情報を取得し、取得した前記第２の通信方式情報と、前記第１の通信方式情報と、の両方に共通して有効化されている、前記接続手順を実施していない前記通信方式について前記接続手順を実施する、
ことを特徴とする付記１に記載の端末。
（付記３）
前記接続部は、前記他の端末と接続したときには、前記第２の通信方式情報を要求する要求信号を前記他の端末に送信し、前記送信に応じて前記他の端末から返信された前記第２の通信方式情報を受信する、
ことを特徴とする付記２に記載の端末。
（付記４）
前記接続部は、前記要求信号に前記第１の通信方式情報を含めて送信し、前記送信に応じて返信された前記第２の通信方式情報と、前記第１の通信方式情報と、の両方に共通する前記通信方式を自端末において有効化し、さらに、前記共通する通信方式が有効化されたことを示す前記第１の通信方式情報を前記記憶部に記憶する、
ことを特徴とする付記３に記載の端末。
（付記５）
前記第１の通信方式情報は、前記通信方式毎に、前記通信方式の能力を示す能力情報が関連づけられた情報であり、
前記接続部は、前記他の端末と接続した前記通信方式のうち、前記能力情報が示す能力の最も高い前記通信方式を用いて前記他の端末と通信する、
ことを特徴とする付記１乃至４のいずれか１項に記載の端末。
（付記６）
少なくとも２つの端末が通信を行うシステムであって、
１つの前記端末は、付記１乃至５のいずれか１項に記載の端末であり、
もう１つの他の前記端末は、対応する複数の通信方式が有効化又は無効化される端末である、
ことを特徴とするシステム。
（付記７）
前記他の端末は、前記第２の通信方式情報を記憶し、付記３乃至５のいずれか１項の前記端末から前記要求信号を受信したときには、前記第２の通信方式情報を前記端末に返信する返信部を備え、
前記返信部は、受信した前記要求信号から前記第１の通信方式情報を抽出したときには、前記第１の通信方式情報と、前記第２の通信方式情報と、で共通する前記通信方式を前記他の端末において有効化し、さらに、前記共通する通信方式が有効化されたことを示す前記第２の通信方式情報を返信する、
ことを特徴とする付記６に記載のシステム。
（付記８）
自端末において有効化されている通信方式を示す所定の第１の通信方式情報を記憶手段から読み出す読出ステップと、
他の端末において有効化されている前記通信方式を示す入力された第２の通信方式情報と、読み出した前記第１の通信方式情報と、の両方に共通して有効化されている前記通信方式について、前記他の端末と接続する為の所定の接続手順を実施する接続ステップと、を有する、
ことを特徴とする通信方法。
（付記９）
前記接続ステップにおいては、自端末において有効化されている前記通信方式毎に順に前記接続手順を実施し、１の前記通信方式で前記他の端末と接続したときには、前記他の端末に記憶される前記第２の通信方式情報を取得し、取得した前記第２の通信方式情報と、前記第１の通信方式情報と、の両方に共通して有効化されている、前記接続手順を実施していない前記通信方式について前記接続手順を実施する、
ことを特徴とする付記８に記載の通信方法。
（付記１０）
前記第２の通信方式情報を要求する要求信号を受信したときには、前記他の端末に記憶される前記第２の通信方式情報を前記自端末に返信する返信ステップを有し、
前記接続ステップにおいては、前記他の端末と接続したときに前記要求信号を送信し、前記送信に応じて返信される前記第２の通信方式情報を受信する、
ことを特徴とする付記９に記載の通信方法。
（付記１１）
前記接続ステップにおいては、前記要求信号に前記第１の通信方式情報を含めて送信し、
前記返信ステップにおいては、受信した前記要求信号から前記第１の通信方式情報を抽出したときには、前記第１の通信方式情報と、前記第２の通信方式情報と、で共通する前記通信方式を前記他の端末において有効化し、さらに、前記共通する通信方式が有効化されたことを示す前記第２の通信方式情報を前記自端末に返信する、
ことを特徴とする付記１０に記載の通信方法。
（付記１２）
前記接続ステップにおいては、前記送信により返信された前記第２通信方式情報と、前記第１の通信方式情報と、の両方に共通する前記通信方式を前記自端末において有効化し、さらに、前記共通する通信方式が有効化されたことを示す前記第１の通信方式情報を記憶する、
ことを特徴とする付記１１に記載の通信方法。
（付記１３）
前記第１の通信方式情報は、前記通信方式毎に前記通信方式の能力を示す能力情報が関連づけられた情報であり、
前記接続ステップにおいては、前記他の端末と接続した前記通信方式のうち、前記能力情報が示す能力の最も高い前記通信方式を用いて前記他の端末と通信する、
ことを特徴とする付記８乃至１２のいずれか１項に記載の通信方法。
（付記１４）
前記能力は、通信速度、消費電力、及びパケット損失率のいずれか、若しくは組み合わせである、
ことを特徴とする付記１３に記載の通信方法。
（付記１５）
前記能力は、通信速度、消費電力、及びパケット損失率のいずれか、若しくは組み合わせである、
ことを特徴とする付記５に記載の端末。
（付記１６）
前記複数の通信方式は、ＷｉＦｉ通信方式、Ｂｌｕｅｔｏｏｔｈ通信方式、Ｚｉｇｂｅｅ通信方式、又はＬＴＥ（Ｌｏｎｇ  Ｔｅｒｍ  Ｅｖｏｌｕｔｉｏｎ）  Ｄｉｒｅｃｔの組み合わせを含む、
ことを特徴とする付記１乃至５のいずれか１項、又は付記１５に記載の端末。
【符号の説明】
【０１１６】
１、２、３、４、５、６    端末
１０、２０、３０、４０    メモリ
５１    記憶部
５２    接続部
５５、６５    通信方式情報
１００、２００、３００、４００、３０１、４０１    通信方式一覧テーブル
【図１】
2017011512.tif 000003
【図２】
2017011512.tif 000004
【図３】
2017011512.tif 000005
【図４】
2017011512.tif 000006
【図５】
2017011512.tif 000007
【図６】
2017011512.tif 000008
【図７】
2017011512.tif 000009
【図８】
2017011512.tif 000010